(57)【要約】【課題】テント用シートの一部の領域に設けられるメッシュ部材の変形を防止することができるテント用換気構造を提供すること。【解決手段】テント用シート１０３の一部の領域をメッシュ部材１０１により形成することで、テントの換気を行うテント用換気構造１００であって、メッシュ部材１０１が形成されている領域を分割するように補強帯１０２を設けることで、メッシュ部材１０１の形状を保持することができるようにしたことを特徴とするテント用換気構造１００を提供する。【選択図】図１
2004332313.tif 000002
【特許請求の範囲】
【請求項１】
テント用シートの一部の領域をメッシュ部材により形成することで、テントの換気を行うテント用換気構造であって、
前記領域を分割するように補強帯を設けることにより、前記メッシュ部材の形状を保持することができるようにしたことを特徴とするテント用換気構造。
【請求項２】
前記補強帯は、前記メッシュ部材に接着されていることを特徴とする請求項１に記載のテント用換気構造。
【請求項３】
前記補強帯は、前記テント用シートに接着されており、前記メッシュ部材には接着されていないことを特徴とする請求項１に記載のテント用換気構造。
【請求項４】
前記補強帯は、前記領域の中央部を通るように設けられていることを特徴とする請求項１乃至３の何れか一項に記載のテント用換気構造。
【請求項５】
前記補強帯は、複数設けられていることを特徴とする請求項１乃至４の何れか一項に記載のテント用換気構造。
【請求項６】
前記補強帯は、布又は樹脂により形成されていることを特徴とする請求項１乃至５の何れか一項に記載のテント用換気構造。
【請求項７】
前記補強帯は、弾性部材により形成されていることを特徴とする請求項１乃至５の何れか一項に記載のテント用換気構造。
【発明の詳細な説明】
【０００１】
【発明の属する技術分野】
本発明は、テント用の換気構造に関し、特に、テント用シートの一部の領域をメッシュ部材により形成することで、テントの換気を行うテント用の換気構造に関する。
【０００２】
【従来の技術】
海岸、山、河川敷、公園等の屋外で宿泊するために、骨組にテント用シートを被せ、このテント用シートの周縁を地面に固定することにより形成されるテントが使用されている。
【０００３】
そして、骨組に被せるテント用シートには、従来から、テント用シートの一部の領域をメッシュ部材により形成することで、テントの内部と外部との間で換気を行うことができるテント用換気構造が設けられていた（例えば、特許文献１参照。）。
【０００４】
【特許文献１】
特開平７−１３９２２８号公報。
【０００５】
【発明が解決しようとする課題】
しかしながら、従来のテント用換気構造は、ただ単にテント用シートの一部の領域をメッシュ部材により形成するだけであったため、骨組にテント用シートを被せ、このテント用シートを地面等に固定するためにこのテント用シートを引っ張ったときに、この領域に設けられているメッシュ部材が変形してしまい、メッシュ部材の通気孔が潰れたり、重なり合ったりして、必要な換気性能を発揮することができないことがあると共に、破損の原因ともなっていた。
【０００６】
そこで、本発明は、テント用シートの一部の領域に設けられるメッシュ部材の変形を防止することができるテント用換気構造を提供することを目的とする。
【０００７】
【課題を解決するための手段】
以上の課題を解決するため、本発明は、テント用シートの一部の領域をメッシュ部材により形成することで、テントの換気を行うテント用換気構造であって、前記領域を分割するように補強帯を設けることにより、前記メッシュ部材の形状を保持することができるようにしたことを特徴とするテント用換気構造を提供する。
【０００８】
このように、テント用シートの一部の領域をメッシュ部材により形成したテント用換気構造において、このメッシュ部材が設けられている領域に、この領域を分割するように補強帯を設けることで、この領域に形成されているメッシュ部材が変形してしまうことを防止することができるようになる。
【０００９】
ここで、この補強帯は、メッシュ部材に接着してもよく、また、補強帯をテント用シートに接着し、メッシュ部材に接着しないようにすることもできる。
【００１０】
なお、補強帯をメッシュ部材に接着した場合には、補強帯によりメッシュ部材自体の形状が保持されるようになるため、より補強帯による保形効果が高まる。
【００１１】
一方、補強帯をテント用シートに接着し、メッシュ部材には接着しないようにすることで、補強帯とメッシュ部材との接着部に無理な力が掛かって、補強帯又はメッシュ部材が破損してしまうことがなくなる。
【００１２】
また、補強帯は、メッシュ部材が設けられている領域の中央部を通るように設けることが望ましく、また、補強帯を複数設けることで、この補強帯による保形効果が高まる。
【００１３】
なお、補強帯の材質については、メッシュ部材が設けられている領域の形状を保持することができるものであればどのようなものを用いてもよく、例えば、布や樹脂を用いることができ、また、補強帯を弾性部材により形成することで、この補強帯による保形効果を高めることが可能である。
【００１４】
【発明の実施の形態】
図１は、本発明の一実施形態に係るテント用換気構造１００の正面図である。
【００１５】
テント用換気構造１００は、メッシュ部材１０１と、補強帯１０２と、により構成されている。
【００１６】
メッシュ部材１０１は、テント用シート１０３の一部の領域に設けられている。
【００１７】
本実施形態では、メッシュ部材１０１の形状は三角形に形成しているがこの形状については、どのような形状でもよく、例えば、円形、四角形、楕円形その他任意の形状を選択することができる。
【００１８】
また、メッシュ部材１０１は、通気性を有すると共に、テントの内部に虫が進入することを防止することができる程度の大きさの孔が空いており、この孔の大きさは、通気性及び防虫性を考慮して、最適なものを適時選択すればよい。
【００１９】
さらに、メッシュ部材１０１をテント用シート１０３のいかなる部分に設けるかについても、テント用シート１０３に覆われるテントの換気を図る上で最適な部分を適時選択すればよい。
【００２０】
メッシュ部材１０１が設けられている領域を二分割するように、本実施形態では、補強帯１０２が設けられている。
【００２１】
補強帯１０２は、三角形に形成されているメッシュ部材１０１の底辺１０１ａの中点１０１ｂから頂点１０１ｃに至るように帯状に形成されている。
【００２２】
補強帯１０２とテント用シート１０３とは、縫合することにより接着されており、また、補強帯１０２とメッシュ部材１０１とも縫合により接着されている。
【００２３】
ここで、本実施形態では、補強帯１０２とメッシュ部材１０１とを縫合することにより接着しているが、例えば、図２に表した断面図のように、補強帯２０２とテント用シート１０３のみを縫合し、補強帯２０２とメッシュ部材２０１とは、縫合等により接着しないようにすることもできる。
【００２４】
補強帯１０２とメッシュ部材１０１とを接着した場合には、メッシュ部材１０１自体を補強帯１０２で補強することができるため、メッシュ部材１０１の形状をより強く保持することができる一方で、補強帯２０２とメッシュ部材２０１とを接着しない場合には、これらに力が掛かったときに補強帯２０２とメッシュ部材２０１とが個々別々に動くため、これらの接合部が破損等することがなくなる。
【００２５】
また、本実施形態における補強帯１０２は、布により形成されているが、例えば、図２に表されている補強体２０２のように、弾性樹脂やバネ鋼を用いることも可能である。
【００２６】
ここで、補強帯１０２を形成する布については、メッシュ部材１０１を補強する関係上、メッシュ部材１０１よりも引っ張り強度の強いものを用いる必要があるが、例えば、テント用シート１０３と同じ素材により形成することが望ましい。
【００２７】
また、補強帯１０２は、メッシュ部材１０１が設けられている領域のほぼ中央部を通るように形成されている。
【００２８】
なお、本実施形態では、補強帯１０２を一つだけ設けたが、例えば、図３に表されているように、補強帯３０２Ａ、３０２Ｂを二つ設けることも可能であり、補強帯１０２の数については、メッシュ部材１０１の形状を保持する目的を達成することができる範囲で適時選択することができる。
【００２９】
さらに、テント用換気構造１００には、図４に表されているように、雨等がテント内に吹き込まないように、カバー１０４を設けておくことが望ましい。
【００３０】
カバー１０４は、三角形に形成されているが、これは、三角形に形成されているメッシュ部材１０１の形状に合わせたものである。
【００３１】
カバー１０４は、メッシュ部材１０１の周囲のテント用シート１０３に縫合されているが、下辺１０４ａのみがテント用シート１０３に縫合されておらず、この下辺１０４ａをアーチ状に形成することで、メッシュ部材１０１とカバー１０４との間に外部と連通した通気空間１０５を形成し、メッシュ部材１０１は、この通気空間１０５を介して換気を行うようにされている。
【００３２】
ここで、カバー１０４の下辺１０４ａのみをテント用シート１０３に縫合しなかったのは、雨や雪等が直接吹き込まないようにすると共に、雨や雪等が降ってきた場合に、テント用シート１０３を伝って下方（図４のＸ方向）に流れる水が、メッシュ部材１０１を介してテント用シート１０３の内部に入り込まないようにするためである。
【００３３】
なお、テント用シート１０３とカバー１０４とは、同一素材により形成することが望ましく、ここでは、表面にポリウレタンコーティングを施したナイロンタフタを用いているが、これに限られるわけではなく、テント用のシート１０３を構成するのに適する素材であれば、広く何でも使用することができる。
【００３４】
図５に表されているように、カバー１０４の内側面１０４ｃであって、その下辺１０４ａ側には、紐１０６が取り付け片１０７を介して取り付けられており、紐１０６は、取り付け片１０７と対称の位置に設けられているガイド部材１０８を経由して、貫通孔１０９を通じて、テント用シート１０３の内側に挿入されている。
【００３５】
紐１０６をカバー１０４に取り付けている取り付け片１０７は、カバー１０４の下辺１０４ａ側の中央部に縫合されており、この取り付け片１０７に設けられている孔１０７ａに紐１０６を通すことで、紐１０６はカバー１０４に取り付けられている。
【００３６】
テント用シート１０３に取り付けられているガイド部材１０８は、取り付け片１０７の真下、即ち、取り付け片１０７とは対称となる位置のテント用シート１０３に設けられている。
【００３７】
また、ガイド部材１０８は、テント用シート１０３との間に紐１０６を通すためにブリッジ状に形成されている。
【００３８】
貫通孔１０９は、カバー１０４に覆われるように、カバー１０４の内側、即ち、カバー１０４をテント用シート１０３の側に倒した場合に、このカバー１０４によって覆われるように、カバー１０４の下辺１０４ａよりも上方（即ち、図４のＸ’の方向）の位置に設けられている。
【００３９】
このように、貫通孔１０９は、カバー１０４の下辺１０４ａよりも上方に設けられているが、取り付け片１０７と対称となる位置に設けられているガイド部材１０８を経由して紐１０６を貫通孔１０９に挿入しているため、紐１０６をテント用シート１０３の内側から引っ張った際にも、スムーズにカバー１０４がテント用シート１０３の方向に引っ張ることができるようになる。
【００４０】
そして、紐１０６をテント用シート１０３の内側、即ち、このようなテント用シート１０３により囲まれたテントの内側から引っ張ることにより、カバー１０４がテント用シート１０３の方向に引っ張られ、カバー１０４の内側面１０４ｃとテント用シート１０３とが密着し、通気空間１０５と外部との連通を遮断することができるようになる。
【００４１】
したがって、雨が降ってきた場合や寒い場合などにも、テントの外に出ることなく、テントの内側から通気空間１０５と外部との連通を遮断することができる。
【００４２】
なお、本実施形態では、カバー１０４を紐１０６で引っ張った際にも、メッシュ部材１０１が補強帯１０２で補強されているため、メッシュ部材１０１が変形してしまうことを防止することができる。
【００４３】
以上のように、本実施形態においては、メッシュ部材１０１の形状を保持するために、補強帯１０２が設けられており、テント用シート１０３を引っ張った場合でも、メッシュ部材１０１が変形してしまうことがなくなる。
【００４４】
【発明の効果】
以上のように、本発明によれば、テント用シートの一部の領域に設けられるメッシュ部材の変形を防止することができるテント用換気構造を提供することができる。
【図面の簡単な説明】
【図１】一実施形態に係るテント用換気構造１００の正面図。
【図２】テント用換気構造の変形例を表す断面図。
【図３】テント用換気構造の変形例を表す正面図。
【図４】テント用換気構造１００にカバー１０４を被せた例を表す正面図。
【図５】図４のＡ−Ａ’線における矢示方向からみた断面図。
【符号の説明】
１００、２００、３００  テント用換気構造
１０１、２０１、３０１  メッシュ部材
１０２、２０２、３０２  補強帯
１０３  テント用シート
【図１】
2004332313.tif 000003
【図２】
2004332313.tif 000004
【図３】
2004332313.tif 000005
【図４】
2004332313.tif 000006
【図５】
2004332313.tif 000007